(57)【要約】【課題】交流駆動のピーク電流を低減する。【解決手段】信号線駆動回路１０２は、所定の走査線を選択する選択期間では、３本の第１信号線に像信号に応じた信号電位を単位期間ごとに供給すると共に単位期間においてこの３本の第１信号線と対になる３本の第２信号線に基準電位ＶＣＯＭ２を供給する。そして、複数の第２信号線ＳＬ１１Ｂ〜ＳＬｎ３ｂのうち、基準電位を供給する３本の第２信号線を除いた第２信号線を電源と電気的に遮断する。【選択図】図３
2009003068.tif 000002
【特許請求の範囲】
【請求項１】
複数の第１信号線と、
前記複数の第１信号線の各々と対になる複数の第２信号線と、
前記複数の第１信号線および前記複数の第２信号線と交差する方向に延在する複数の走査線と、
前記複数の第１信号線または前記複数の第２信号線と前記走査線との交差に応じて設けられた複数の画素と、
所定の基準電位を供給する電源と、
前記複数の第１信号線および前記複数の第２信号線を駆動する信号線駆動回路と、
前記複数の走査線を選択期間ごとに順次選択する走査線駆動回路と、
前記複数の画素の各々は、第1の電極と、第２の電極と、前記複数の第１信号線の各々と前記第１の電極との間に設けられた第１スイッチング素子と、前記複数の第２信号線の各々と前記第２の電極との間に設けられた第２スイッチング素子と、前記第１の電極と前記第２の電極との間に設けられ、電極間の電位差に起因して生じた電界により光学特性が変化する電気光学物質とを備え、
前記選択期間は、複数の単位期間に分割されており、
前記複数の第１信号線は、所定数ごとに第１信号線をまとめた複数の第１信号線群からなり、
前記複数の第２信号線は、前記複数の第１信号線群の各々と対になる複数の第２信号線群からなり、
前記信号線駆動回路は、
第１の期間では、前記複数の第１信号線群の各々に信号電位を前記単位期間ごとに時分割で供給すると共に、信号電位を供給する第１信号線群と対になる第２信号線群を含む第２信号線を前記電源に電気的に接続して前記基準電位を供給し、それ以外の第２信号線を前記電源と電気的に遮断し、
第２の期間では、前記第１信号線と前記第２信号線とを入れ替えて、前記信号電位および前記基準電位を供給する、
ことを特徴とする電気光学装置。
【請求項２】
前記信号線駆動回路は、
前記第１の期間において、信号電位を供給する前記第１信号線群と対になる第２信号線群に対して、前記信号電位の供給を開始する前から前記基準電位の供給を開始し、前記信号電位の供給が終了した後に前記基準電位の供給を終了し、
前記第２の期間では、前記第１信号線と前記第２信号線とを入れ替えて、前記信号電位および前記基準電位を供給する、
ことを特徴とする請求項１に記載の電気光学装置。
【請求項３】
請求項１または２に記載の電気光学装置を備えることを特徴とする電子機器。
【請求項４】
格子状に配列された複数の画素を備え、前記複数の画素の各々は、第１の電極と、第２の電極と、前記第１の電極と前記第２の電極との間に設けられ、電極間の電位差に起因して生じた電界により光学特性が変化する電気光学物質とを有する電気光学装置の駆動方法であって、
行ごとに画素を順次選択し、
選択した画素うち、所定数の画素ごとに、前記第１電極と前記第２電極のうち一方の電極に画像信号に応じた信号電位を供給すると共に、他方の電極に所定の基準電位を供給し、
前記選択した画素のうち、前記他方の電極に前記基準電位を供給する画素以外の画素については、前記第１電極と前記第２電極とをハイインピーダンス状態とする、
ことを特徴とする電気光学装置の駆動方法。
【請求項５】
前記一方の電極に前記第１電位を供給する画素において、前記他方の電極には、前記一方の電極に前記信号電位の供給を開始する前から前記基準電位を供給し、前記信号電位の供給を終了した後に前記第基準電位の供給を終了することを特徴とする請求項４に記載の電気光学装置の駆動方法。
【発明の詳細な説明】
【技術分野】
【０００１】
本発明は、液晶などの電気光学素子を駆動する技術に関する。
【背景技術】
【０００２】
液晶装置において、光の射出方向の縦電界を液晶に印加する駆動方法と、光の射出方向と直交する方向の横電界を液晶に印加する駆動方法とが知られている。液晶に直流電圧を印加すると、焼き付きなどの画質劣化を招くため、いずれの駆動方法においても液晶に交流電圧を印加する交流駆動が用いられる。
縦電界を液晶に印加する駆動方法では、例えば、図１０に示す画素回路が用いられる。この画素回路では、走査信号Ｙがハイレベルになると、トランジスタＴｒがオン状態となり、データ線１０を介して供給されるデータ電位Ｖdataが液晶素子５に印加されると共に保持容量Ｃに保持される。液晶素子５は画素電極５ａと共通電極５ｂとの間に液晶ＬＣが挟持して構成される。トランジスタＴｒおよび画素電極５ａは素子基板に形成され、共通電極５ｂは対向基板に形成される。そして、素子基板と対向基板とは間隙を持って貼り合わせられており、それらの間に液晶が注入されている。対向基板に形成された共通電極５ｂは複数の画素回路で兼用されており、そこには基準電位ＶＣＯＭが供給される。このような回路構成において、基準電位ＶＣＯＭを基準としてデータ電位Ｖdataの電位を高電位とする期間と低電位とする期間を交互に繰り返して液晶ＬＣに交流電圧を印加する。
【０００３】
横電界の駆動方法が適用される画素回路では、スイッチング用のトランジスタが形成される素子基板において、第１電極と第２電極とが形成される。そして、固定電位に対して正極性および負極性の映像信号であって絶対値が等しい信号を第１電極と第２電極とに各々印加する技術が知られている（例えば、特許文献１）。
【０００４】
【特許文献１】特開平２００３−１４９６５４号公報（段落番号００３３）
【発明の開示】
【発明が解決しようとする課題】
【０００５】
ところで、横電界の駆動では、縦電界の駆動のように共通電極５ｂが形成されず、第１電極と第２電極との電位が極性反転の周期に応じて反転することになる。この極性反転の動作においては、一方の電極に基準電位を供給し、他方の電極に表示すべき階調に応じた階調電位を供給する。この場合、複数の画素回路において同時に極性反転が発生すると、そのタイミングで大電流が流れることになる。このため、基準電位を供給する電源には、大電流を供給するだけの駆動能力が必要とされる。ここで、大電流が流れるのは、極性反転の直後の期間に限られ、大半の期間では殆ど電流が流れない。したがって、従来の横電界の駆動では、基準電位を供給する電源には、ピーク電流に対応する大きな駆動能力が要求され、電源の回路構成が大型化するといった問題があった。
【０００６】
本発明は、このような事情に鑑みてなされたものであり、ピーク電流の大きさを低減することを解決課題とする。
【課題を解決するための手段】
【０００７】
上述した課題を解決するために、本発明に係る電気光学装置は、複数の第１信号線と、前記複数の第１信号線の各々と対になる複数の第２信号線と、前記複数の第１信号線および前記複数の第２信号線と交差する方向に延在する複数の走査線と、前記複数の第１信号線または前記複数の第２信号線と前記走査線との交差に応じて設けられた複数の画素と、所定の基準電位を供給する電源と、前記複数の第１信号線および前記複数の第２信号線を駆動する信号線駆動回路と、前記複数の走査線を選択期間ごとに順次選択する走査線駆動回路と、前記複数の画素の各々は、第1の電極と、第２の電極と、前記複数の第１信号線の各々と前記第１の電極との間に設けられた第１スイッチング素子と、前記複数の第２信号線の各々と前記第２の電極との間に設けられた第２スイッチング素子と、前記第１の電極と前記第２の電極との間に設けられ、電極間の電位差に起因して生じた電界により光学特性が変化する電気光学物質とを備え、前記選択期間は、複数の単位期間に分割されており、前記複数の第１信号線は、所定数ごとに第１信号線をまとめた複数の第１信号線群からなり、前記複数の第２信号線は、前記複数の第１信号線群の各々と対になる複数の第２信号線群からなり、前記信号線駆動回路は、第１の期間では、前記複数の第１信号線群の各々に信号電位を前記単位期間ごとに時分割で供給すると共に、信号電位を供給する第１信号線群と対になる第２信号線群を含む第２信号線を前記電源に電気的に接続して前記基準電位を供給し、それ以外の第２信号線を前記電源と電気的に遮断し、第２の期間では、前記第１信号線と前記第２信号線とを入れ替えて、前記信号電位および前記基準電位を供給することを特徴とする。
【０００８】
この発明によれば、ある周期で電気光学素子に書き込む電圧の極性を反転させる。そして、第１の期間では、所定数の第１信号線ごとに第１電位が供給されるので、画素に対する画像信号に応じた信号電位の書き込みは所定数の画素単位で実行される。この場合、書き込みが実行される画素では、第２電極に基準電位が供給される。電源から画素を見たとき、そこに至る配線には寄生容量が付随するので容量性の負荷となる。この発明によれば、１行の画素すべてに対して基準電位を供給する必要がなく、基準電位を供給する画素は、時分割で切り替わることになる。よって、信号に書き込みに要するピーク電流の大きさを低減することができ、電源が安定して基準電位を供給するのに必要な駆動能力を小さくすることが可能となる。
ここで、第２の期間では、第１信号線と前記第２信号線とを入れ替えて、信号電位および基準電位を供給するが、より具体的には、前記複数の第２信号線群の各々に信号電位を前記単位期間ごとに時分割で供給すると共に、信号電位を供給する第２信号線群と対になる第１信号線群を含む第１信号線を前記電源に電気的に接続して前記基準電位を供給し、それ以外の第１信号線を前記電源と電気的に遮断すればよい。
また、第１の期間は、画像信号を全ての画素に書き込むのに必要な時間を１フレームとしたとき、あるフレームにおいて所定の走査線を選択する選択期間であってもよい。この場合、第２の期間は、次のフレームの前記所定の走査線を選択する選択期間であってもよい。
【０００９】
さらに、前記信号線駆動回路は、前記第１の期間において、信号電位を供給する前記第１信号線群と対になる第２信号線群に対して、前記信号電位の供給を開始する前から前記基準電位の供給を開始し、前記信号電位の供給が終了した後に前記基準電位の供給を終了し、前記第２の期間では、前記第１信号線と前記第２信号線とを入れ替えて、前記信号電位および前記基準電位を供給することが好ましい。
【００１０】
基準電位の供給の開始と終了のタイミングではパルス状のノイズが発生するが、この発明によれば、信号電位が供給される前にすでに基準電位が供給され、信号電位の供給が終了した後に基準電位の供給が終了するので、安定した状態で信号電位の書き込みを行うことができ、ノイズの影響を低減して正確に信号電位を書き込むことが可能となる。さらに、あるフレームにおいて、隣接する画素において信号電位の書き込みが実行される単位期間において、第２信号線には基準電位が供給されるので、いわゆるフローティング状態を回避することができる。仮に、第２信号線がフローティング状態であるとすれば、寄生容量によって、隣接する画素における信号電位の書き込みが、当該画素で保持されている電圧に影響を与える。しかし、本発明によれば、第２信号線に基準電位が供給されるので、クロストークを抑圧することができる。
なお、第２の期間では、信号電位を供給する前記第２信号線群と対になる第１信号線群に対して、前記信号電位の供給を開始する前から前記基準電位の供給を開始し、前記信号電位の供給が終了した後に前記基準電位の供給を終了すればよい。
【００１１】
次に、本発明に係る電子機器は、上述した電気光学装置を備えることが好ましい。このような電子機器としては、パーソナルコンピュータ、携帯電話機、および携帯情報端末などが該当する。
【００１２】
次に、本発明に係る電気光学装置の駆動方法は、格子状に配列された複数の画素を備え、前記複数の画素の各々は、第１の電極と、第２の電極と、前記第１の電極と前記第２の電極との間に設けられ、電極間の電位差に起因して生じた電界により光学特性が変化する電気光学物質とを有する電気光学装置を駆動する方法であって、行ごとに画素を順次選択し、選択した画素うち、所定数の画素ごとに、前記第１電極と前記第２電極のうち一方の電極に画像信号に応じた信号電位を供給すると共に、他方の電極に所定の基準電位を供給し、前記選択した画素のうち、前記他方の電極に前記基準電位を供給する画素以外の画素については、前記第１電極と前記第２電極とをハイインピーダンス状態とすることを特徴とする。
この発明によれば、画素ごとに第１の電極と第２の電極とを備えるので、所定の基準電位は画素ごとに供給することが可能である。ここで、他方の電極に基準電位を供給する画素以外の画素については、第１電極と第２電極とをハイインピーダンス状態とするので、信号電位の書き込みに伴うピーク電流を低減することができ、基準電位を供給するために必要な電源の駆動能力を小さくすることが可能となる。
【００１３】
さらに、上述した電気光学装置の駆動方法において、前記一方の電極に前記第１電位を供給する画素において、前記他方の電極には、前記一方の電極に前記信号電位の供給を開始する前から前記基準電位を供給し、前記信号電位の供給を終了した後に前記第基準電位の供給を終了することが好ましい。この駆動方法によれば、信号電位の供給と基準電位の供給のタイミングをずらすことができるので、ノイズの発生を抑圧することができる。また、信号電位の供給に先行して基準電位を供給するので、第１の電極と第２の電極とに安定して画像信号に応じた電圧を印加することができる。
【発明を実施するための最良の形態】
【００１４】
本発明の実施形態に係る電気光学装置は、電気光学材料として液晶を用いる。電気光学装置１は、主要部として液晶パネルＡＡ（電気光学パネルの一例）を備える。液晶パネルＡＡは、スイッチング素子として薄膜トランジスタ（Ｔｈｉｎ  Ｆｉｌｍ  Ｔｒａｎｓｉｓｔｏｒ：以下、「ＴＦＴ」と称する）を形成した素子基板と対向基板とを互いに対向させ、かつ一定の間隙を保って貼付し、この間隙に液晶を挟持している。
【００１５】
図１は第１実施形態に係る電気光学装置１の全体構成を示すブロック図である。この電気光学装置１は、液晶パネルＡＡ、制御回路１０８、および像信号処理回路１０７を備える。この液晶パネルＡＡは透過型であるが、半透過型であってもよいし、反射型であってもよい。液晶パネルＡＡは、その素子基板上に像表示領域１０１、信号線駆動回路１０２、および走査側駆動回路１０３を備える。
【００１６】
制御回路１０８には、像原信号ＤＡＴＡと同期した垂直同期信号ＶＳＹＮＣ、水平同期信号ＨＳＹＮＣおよびドットクロック信号ＤＣＫが供給される。制御回路１０８は、これらの信号に基づいて、Ｘ転送開始パルスＸＳＰ１，ＸＳＰ２、Ｘクロック信号ＸＣＫ１，ＸＣＫ２および第１フレーム信号ＦＲ１を生成して信号線駆動回路１０２に供給すると共に、Ｙ転送開始パルスＹＳＰ１およびＹクロック信号ＹＣＫ１を生成して走査側駆動回路１０３に供給する。さらに、制御回路１０８は、基準電位ＶＣＯＭ１およびＶＣＯＭ２を生成する電源回路（図示略）を備えており、基準電位ＶＣＯＭ１を走査線駆動回路１０３に供給すると共に基準電位ＶＣＯＭ２を信号線駆動回路１０２に供給する。
【００１７】
像表示領域１０１には、複数の画素ＰＸ１１１，ＰＸ１１２…ＰＸｎｍ３がマトリクス状に形成されており、各画素ごとに透過率を制御することができる。バックライト（図示略）からの光は、画素ＰＸ１１１，ＰＸ１１２…ＰＸｎｍ３を介して表示面に射出される。これによって、光変調による階調表示が可能となる。また像信号処理回路１０７は像原信号ＤＡＴＡにγ補正やエッジ強調等の画像処理を施して像信号Ｄ１，Ｄ２，Ｄ３を生成し、これを選択回路１０６を介して信号線駆動回路１０２に送出する。
【００１８】
また、像表示領域１０１には、ｍ（ｍは２以上の自然数）本の走査線ＧＰ１，ＧＰ２…ＧＰｍが、Ｘ方向に沿って平行に配列して形成される一方、３ｎ（ｎは２以上の自然数）本の第１信号線ＳＬ１１ａ，ＳＬ１２ａ，…ＳＬｎ３ａおよび同３ｎ本の第２信号線ＳＬ１１ｂ，ＳＬ１２ｂ…ＳＬｎ３ｂが、Ｙ方向に沿って平行に配列して形成されている。第１信号線と第２信号線とは、ＳＬ１１ａとＳＬ１１ｂ，ＳＬ１２ａとＳＬ１２ｂ，…ＳＬｎ３ａとＳＬｎ３ｂの３ｎ組として信号線群を構成している。そして、走査線ＧＰ１，ＧＰ２…ＧＰｍと第１信号線ＳＬ１１ａ，ＳＬ１２ａ，…ＳＬｎ３ａまたは第２信号線ＳＬ１１ｂ，ＳＬ１２ｂ…ＳＬｎ３ｂの組との交差に対応して、ｍ行×３ｎ列の画素ＰＸ１１１，ＰＸ１１２…ＰＸｎｍ３が配置される。
【００１９】
第１信号線ＳＬ１１ａ，ＳＬ１２ａ…ＳＬｎ３ａおよび第２信号線ＳＬ１１ｂ，ＳＬ１２ｂ…ＳＬｎ３ｂには信号線駆動回路１０２から像信号または基準電位信号が供給される。また、各走査線ＧＰ１，ＧＰ２…ＧＰｍには走査信号が各々パルス的に順次印加される。任意の１の走査信号がアクティブになったとき、その走査線と接続したＸ方向に並ぶ画素群には、対応する第１信号線および第２信号線に印加された、像信号（信号電位）または基準電位が取り込まれる。
【００２０】
図２に全画素Ｐ１１１，Ｐ１１２…Ｐｎｍ３の中から画素Ｐ１１１，Ｐ１１２，Ｐ１２１、ＰＸ１２２を抜出して回路図を示し、説明する。画素Ｐ１１２は、導電型がｎ型のトランジスタＳＷ２０１およびＳＷ２０２、第１保持容量Ｃｓｔｇ１、第２保持容量Ｃｓｔｇ２、第３保持容量Ｃｓｔｇ３ならびに電気光学素子Ｃｌｃを備える。電気光学素子Ｃｌｃは第１電極１ａ、第２電極１ｂとそれらの間に存在する電気光学物質で構成される。この電気光学物質は、印加される電界、即ち、第１電極１ａと第２電極１ｂとの間の電圧に応じて光学特性が変化する物質であり、この例では、液晶である。なお、画素Ｐ１１２以外の各画素についても、同じ構成となっている。
【００２１】
電気光学素子Ｃｌｃの第１電極１ａは第１トランジスタＳＷ２０１のドレイン電極に接続される一方、その第２電極１ｂは第２トランジスタＳＷ２０２のドレイン電極に接続される。第１トランジスタＳＷ２０１のドレイン電極と電位線（図示略）との間には第２保持容量Ｃｓｔｇ２が設けられ、第２トランジスタＳＷ２０２のドレイン電極と電位線との間には第３保持容量Ｃｓｔｇ３が設けられる。さらに、第１トランジスタＳＷ２０１のドレイン電極と第２トランジスタＳＷ２０２のドレイン電極の間には、電気光学素子１３と並列に第１保持容量Ｃｓｔｇ１が設けられる。ここで、第１乃至第３保持容量Ｃｓｔｇ１，Ｃｓｔｇ２，Ｃｓｔｇ３の一部または全部は明確に容量素子として形成するのが望ましいが、それらが夫々のノード間に付随する寄生容量であっても効果的に変わりは無い。
【００２２】
また、第１トランジスタＳＷ２０１のソース電極は第１信号線ＳＬ１２ａに、第２トランジスタＳＷ２０２のソース電極は第２信号線ＳＬ１２ｂに接続される。さらに、第１および第２トランジスタＳＷ２０１，ＳＷ２０２のゲート電極は走査線ＧＰ１と接続される。走査線ＧＰ１に印加される走査信号がハイレベル（アクティブ）になると、第１および第２のトランジスタＳＷ２０１，２０２は共に導通状態となる。すると、第１信号線ＳＬ１２ａに印加された第１の電位が電気光学素子Ｃｌｃの第１電極１ａに印加されると共に、第２信号線ＳＬ１２ｂに印加された第２の電位が電気光学素子Ｃｌｃの第２電極１ｂに印加される。このとき電気光学素子Ｃｌｃに印加された電圧は、第１保持容量Ｃｓｔｇ１によって保持される。こうして電気光学物質である液晶に任意の電圧を印加・保持することにより、各画素の透過率を任意に制御できる。なお、本実施形態における極性反転は、第１の電位として信号電位を第２の電位として基準電位を供給する状態と、第１の電位として基準電位を第２の電位として信号電位を供給する状態を入れ替えることにより行われる。
【００２３】
第１トランジスタＳＷ２０１および第２トランジスタＳＷ２０２はスイッチング素子として機能する。因みに本実施例中で述べたトランジスタのソース電極、ドレイン電極との表記については便宜的に図２中の電極を指定するために用いたものであり、トランジスタのソース−ドレイン間電圧の上下関係を規定したものでは無い。また、前記第１および第２トランジスタは導電型をｎ型として説明したが、これはｐ型であっても本発明の効果に何ら変わりは無い。
【００２４】
図３に信号線駆動回路１０３とその周辺回路の構成を示す。信号線駆動回路１０２は第１および第２信号線走査回路１０４，１０５とスイッチ群ＳＷ１１１…ＳＷ２ｎ３を備える。
第１（第２）信号線走査回路１０４（１０５）は例えばシフトレジスタ回路等で構成されており、Ｘクロック信号ＸＣＫ１（ＸＣＫ２）に同期してＸ転送開始パルスＸＳＰ１（ＸＳＰ２）を順次転送することで、順次の選択パルスＰＬ１１，ＰＬ１２…ＰＬ１ｎ（ＰＬ２１，ＰＬ２２…ＰＬ２ｎ）を生成する。
【００２５】
第１信号線走査回路１０４から出力される選択パルスＰＬ１１，ＰＬ１２…ＰＬ１ｎは信号伝送線ＤＬ１，ＤＬ２，ＤＬ３と第１信号線ＳＬ１１ａ，ＳＬ１２ａ，ＳＬ１３ａ，ＳＬ２１ａ，ＳＬ２２ａ，ＳＬ２３ａ…ＳＬｎ３ａとの導通／非導通状態を制御する。同様に、第２信号線走査回路１０５から出力される選択パルスＰＬ２１，ＰＬ２２…ＰＬ２ｎは信号伝送線ＤＬ４，ＤＬ５，ＤＬ６と第２信号線ＳＬ１１ｂ，ＳＬ１２ｂ，ＳＬ１３ｂ，ＳＬ２１ｂ，ＳＬ２２ｂ，ＳＬ２３ｂ…ＳＬｎ３ｂとの導通／非導通状態を制御する。信号伝送線ＤＬ１〜ＤＬ６には選択回路１０６から送出された像信号または基準電位が入力されており、選択パルスと上記スイッチ群ＳＷ１１１…ＳＷ２ｎ３との接続に応じて像信号または基準電位を対応する第１または第２信号線に送出する。
【００２６】
上記回路ブロック構成を持つ液晶パネルＡＡの一駆動例を、図４を用いて説明する。
まず、時刻ｔ０において、走査線ＧＰ１には、それに接続された複数の画素ＰＸ１１１，ＰＸ１１２，ＰＸ１１３…ＰＸｎ１３の第１および第２トランジスタＳＷ２０１およびＳＷ２０２を導通状態にする走査信号（ハイレベル）が印加される。このとき、その他の走査線ＧＰ２，ＧＰ３…ＧＰｍには非導通状態の走査信号（ローレベル）が印加されている。このとき全画素群で導通状態にあるのは走査線ＧＰ１に接続された第１行目の各画素のみである。この状態で第１信号線ＳＬ１１ａ，ＳＬ１２ａ…および第２信号線ＳＬ１１ｂ，ＳＬ１２ｂ…に像信号（後述）または基準電位ＶＣＯＭ２を選択的に印加すると、対応する各画素ＰＸ１１１，ＰＸ１１２…の電気光学素子Ｃｌｃに像信号を書き込むことができる。そして、走査線ＧＰ１に非導通状態の電位（ローレベル）を印加（ｔ５）した後、順次、走査線ＧＰ２，ＧＰ３…ＧＰｍに対し同操作を行うことにより、任意の画素に対して像信号を書き込むことができる。以下の説明では、各走査線ＧＰ１、ＧＰ２、…ＧＰｍにハイレベルの走査信号を供給して、各走査線ＧＰ１、ＧＰ２、…ＧＰｍを選択する期間を単位期間と称する。
【００２７】
単位期間Ｔｈ１では、第１信号線走査回路１０４で制御されるスイッチ群に接続した信号伝送線ＤＬ１，ＤＬ２，ＤＬ３に選択回路１０６から像信号が供給され、第２信号線走査回路１０５で制御されるスイッチ群に接続した信号伝送線ＤＬ４，ＤＬ５，ＤＬ６に選択回路１０６から基準電位ＶＣＯＭ２が供給される。
続く単位期間Ｔｈ２では、第１信号線走査回路１０４で制御されるスイッチ群に接続した信号伝送線ＤＬ１，ＤＬ２，ＤＬ３に選択回路１０６から基準電位ＶＣＯＭ２が供給され、第２の信号線走査回路１０５で制御されるスイッチ群に接続した信号伝送線ＤＬ４，ＤＬ５，ＤＬ６には選択回路１０６から像信号が供給される。
【００２８】
ここでは液晶の交流駆動方法の一例として、走査線単位で極性を反転する所謂「走査線反転駆動」を採用している。単位期間Ｔｈ１と単位期間Ｔｈ２で基準電位ＶＣＯＭ２と像信号を入れ替えているのはこのためである。なお、走査線反転駆動でも、ある画素に着目した場合、あるフレームで第１電極１ａに像信号が供給され、第２電極１ｂに基準電位ＶＣＯＭ２が供給されると、次のフレームでは第１電極１ａに基準電位ＶＣＯＭ２が供給され、第２電極１ｂに像信号が供給される
【００２９】
単位期間Ｔｈ１における、画素への像信号の書き込み方法について具体的に説明する。時刻ｔ２から時刻ｔ３までの期間において、スイッチＳＷ１１ａは、第１信号線走査回路１０４から出力された選択パルスＰＬ１１に従って、信号伝送線ＤＬ１に供給された像信号Ｄ１１１をサンプリングして第１信号線ＳＬ１１ａに出力する。このときスイッチＳＷ１１ｂは、第２信号線走査回路１０５から出力された選択パルスＰＬ２１に従って、信号伝送線ＤＬ４の基準電位ＶＣＯＭ２を第２信号線ＳＬ１１ｂに印加する。こうして第１信号線ＳＬ１１ａに像信号を、第２信号線ＳＬ１１ｂに基準電位ＶＣＯＭ２を印加し、これに対応する画素ＰＸ１１１の電気光学素子Ｃｌｃに（像信号−ＶＣＯＭ２）の電圧を書き込むことができる。
【００３０】
次に、時刻ｔ３から時刻ｔ４までの期間において、スイッチＳＷ１１ａは、選択パルスＰＬ１２に従って、信号伝送線ＤＬ１に供給された像信号Ｄ２１１を第１信号線ＳＬ２１ａにサンプリングする。このとき組となる第２信号線ＳＬ２１ｂには、選択パルスＰＬ２２に従って信号伝送線ＤＬ３から供給される基準電位ＶＣＯＭ２がスイッチＳＷ１１ｂによって印加される。このように夫々の選択パルスＰＬに対応して順次信号のサンプリングを行い、信号伝送線に供給された像信号または基準電位を対応する第１および第２信号線、ならびにその先で導通状態となっている画素に書き込む。
【００３１】
単位期間Ｔｈ２では、第１信号線走査回路１０４と第２信号線走査回路１０５の役割が入れ替わる。これは、単位期間Ｔｈ１では、選択回路１０６が、信号伝送線ＤＬ１〜ＤＬ３に像信号が出力するとともに、信号伝送線ＤＬ４〜ＤＬ６に基準電位ＶＣＯＭ２を出力したが、単位期間Ｔｈ２では信号伝送線ＤＬ１〜ＤＬ３に基準電位ＶＣＯＭ２を出力するとともに、信号伝送線ＤＬ４〜ＤＬ６に像信号を出力するからである。
具体的には、第１信号線走査回路１０４から出力される選択パルスＰＬ１１に基づいて、スイッチＳＷ１１ａは信号伝送線ＤＬ１に供給された基準電位ＶＣＯＭ２をサンプリングして第１信号線ＳＬ１１ａに出力し、スイッチＳＷ１１ｂは第２信号線走査回路１０５から出力される選択パルスＰＬ２１に基づいて、信号伝送線ＤＬ４に供給された基準電位ＶＣＯＭ２をサンプリングして第２信号線ＳＬ１１ｂに出力する。以下、同様に順次の選択パルスＰＬ１２，ＰＬ２２，…に応じて順次信号のサンプリングを行う。
【００３２】
ここで従来の電気光学装置との違いを図５を用いて説明する。
従来の電気光学装置（Ａ）において、画素への像信号書き込み時の基準電位ＶＣＯＭの電源駆動負荷は、書き込み中の画素の保持容量５０５、液晶容量５０６は勿論のこと、非選択状態にある全画素の信号線５０２と基準電位ＶＣＯＭとの間の寄生容量５０４および走査線５０１と共通電極ＶＣＯＭとの間の寄生容量５０３がある。この共通電極ＶＣＯＭに係る全駆動負荷はパネルサイズにもよるが例えば１０ｎＦ〜数μＦと極めて大きな容量であるが故に、画素書き込み時の短い期間で電位を安定化させるためには極めて大きな電流駆動能力が必要となる。このため、基準電位ＶＣＯＭの電源回路は低消費電力にできないのが一般的であった。
【００３３】
これに対し、本発明の電気光学装置（Ｂ）では、ある任意の１期間をとったとき基準電位ＶＣＯＭには該当する画素列だけしか接続されておらず、基準電位ＶＣＯＭの電源に余計な駆動負荷を与えない。駆動負荷としての容量が少ない分、より低い駆動能力の電源回路を用いることができる。また、基準電位ＶＣＯＭを順次サンプリングすることで基準電位ＶＣＯＭのピーク電流値を前述の単位期間Ｔｈ１，Ｔｈ２…内で平準化でき、最大電流駆動能力を下げた電源回路を用いることができる。これら効果により、低消費電力の電気光学装置を実現できる。
【００３４】
その他の駆動面の特長を再び図３を用いて説明する。
選択パルスＰＬ２１のサンプリング開始タイミング（ｔ１）は対応する画素の像信号のサンプルを開始するタイミング（ｔ２）よりも早い。また、選択パルスＰＬ２１のサンプリング終了タイミング（ｔ４）は対応する画素の像信号のサンプルを終了するタイミング（ｔ３）よりも早い。これは隣接画素間での寄生容量等によるクロストークを抑えるためである。例えば、ここでは第２信号線ＳＬ１１ｂに基準電位ＶＣＯＭ２をサンプルしているが、隣接する画素に信号書き込みが行われるときにこの第２信号線ＳＬ１１ｂと信号伝送線ＤＬ４との間に設けられたスイッチＳＷ２１１（図１）が非導通状態になったとすると、第２信号線ＳＬ１１ｂは所謂フローティング状態となり、基準電位ＶＣＯＭ２が隣接の画素の書き込み信号の影響を受け電位変動する。これを回避するため、像信号サンプルのタイミングの前後に跨って基準電位を固定化し続ける。これにより、ゴースト等の表示異常が無く、高度の諧調再現性を有した高品位な電気光学装置を実現できる。
【００３５】
上述した実施形態では液晶の交流駆動方法の一例として、走査線単位で極性を反転する所謂「走査線反転駆動」を採用していた。液晶の他の交流駆動方法としては1画面毎に極性を反転する所謂「フレーム反転駆動」でも良いし、縦1列の画素列毎に極性を反転してもよい。例えば、フレーム反転駆動を採用する場合は、選択回路１０６は、図６に示すように像信号と基準電位ＶＣＯＭ２を信号伝送線ＤＬ１〜ＤＬ６に出力する。
ここで、フレーム信号ＦＲ１は第１フレームＦ１（奇数フレーム）でハイレベルとなり、第２フレームＦ２（偶数フレーム）でローレベルとなる。そして、選択回路１０６は、フレーム信号ＦＲ１がハイレベルの期間において、伝送信号線ＤＬ１〜ＤＬ３に像信号（信号電位）を出力すると共に、伝送信号線ＤＬ４〜ＤＬ６に基準電位ＶＣＯＭ２を出力する。また、選択回路１０６は、フレーム信号ＦＲ１がローレベルの期間において、伝送信号線ＤＬ１〜ＤＬ３に基準電位ＶＣＯＭ２を出力すると共に、伝送信号線ＤＬ４〜ＤＬ６に像信号（信号電位）を出力する。これによって、フレーム単位で画面全体の全ての画素において、極性反転が実行される。
【００３６】
次に、上述した実施形態に係る電気光学装置１を適用した電子機器について説明する。図７に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１およびキーボード２００２が設けられている。
図８に、電気光学装置１を適用した携帯電話機の構成を示す。携帯電話機３０００は、複数の操作ボタン３００１およびスクロールボタン３００２、並びに表示ユニットとしての電気光学装置１を備える。スクロールボタン３００２を操作することによって、電気光学装置１に表示される画面がスクロールされる。
図９に、電気光学装置１を適用した情報携帯端末（ＰＤＡ：Personal Digital Assistants）の構成を示す。情報携帯端末４０００は、複数の操作ボタン４００１および電源スイッチ４００２、並びに表示ユニットとしての電気光学装置１を備える。電源スイッチ４００２を操作すると、住所録やスケジュール帳といった各種の情報が電気光学装置１に表示される。
なお、電気光学装置１が適用される電子機器としては、図７〜図９に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
【図面の簡単な説明】
【００３７】
【図１】本発明の実施形態に係る電気光学装置１の全体構成を示す回路ブロック図である。
【図２】液晶パネルＡＡの画素の構成例を示す回路図である。
【図３】信号線駆動回路１０２の詳細な構成を示すブロック図である。
【図４】同装置の動作を説明するためのタイミングチャートである。
【図５】従来の電気光学装置との相違を説明するための説明図である。
【図６】フレーム反転駆動における動作例を説明するためのタイミングチャートである。
【図７】電気光学装置を適用した電子機器の一例たるパーソナルコンピュータの構成を示す斜視図である。
【図８】電気光学装置を適用した電子機器の一例たる携帯電話の構成を示す斜視図である。
【図９】電気光学装置を適用した電子機器の一例たる携帯情報端末の構成を示す斜視図である。
【図１０】従来の画素回路の構成を示す回路図である。
【符号の説明】
【００３８】
１…電気光学装置、ＳＬ１１ａ〜ＳＬｎ３ａ…第１信号線、ＳＬ１１ｂ〜ＳＬｎ３ｂ…第２信号線、ＧＰ１〜ＧＰｍ…走査線、１０２…信号線駆動回路、ＰＸ１１１〜ＰＸｎｍ３…画素、ＳＷ２０１…第１トランジスタ、ＳＷ２０２…第２トランジスタ、１ａ…第１電極、１ｂ…第２電極、Ｃｌｃ…電気光学素子、Ｃｓｔｇ１，Ｃｓｔｇ２，Ｃｓｔｇ３…保持容量、１０３…走査線駆動回路、Ｔｈ１，Ｔｈ２…単位期間。
【図１】
2009003068.tif 000003
【図２】
2009003068.tif 000004
【図３】
2009003068.tif 000005
【図４】
2009003068.tif 000006
【図５】
2009003068.tif 000007
【図６】
2009003068.tif 000008
【図７】
2009003068.tif 000009
【図８】
2009003068.tif 000010
【図９】
2009003068.tif 000011
【図１０】
2009003068.tif 000012